(57)【特許請求の範囲】
【請求項１】
非塗装面側が解放され、かつ巾方向中央部に塗装面側から段部を介して上記非塗装面側へ筒状をなした囲撓壁が延設され、上記囲撓壁によって囲まれた長手方向に沿う内部に開口部を有し、上記開口部内に複数の横桟を備えたバンパーに適用するマスキング治具であって、
上記塗装面側の上部開口部を囲む段部に貼着して上記上部開口部を覆う第１のマスキング部材と、
上記非塗装面側に突出する開口部の周壁に被嵌して上記非塗装面側に突出する上記開口部を覆う第２のマスキング部材とからなるマスキング治具。
【請求項２】
上記第２のマスキング部材に、複数の上記横桟の間に弾性的に係合する保持部材を設けたことを特徴とする請求項１記載のマスキング治具。
【請求項３】
上記第２のマスキング部材の周縁部に、上記非塗装面側に突出する開口部の周壁に止着する粘着テープを備えたことを特徴とする請求項１記載のマスキング治具。
【発明の詳細な説明】
【０００１】
【産業上の利用分野】
本発明は、マスキング治具に関し、より詳細には、背面へ回り込んだ塗料ミストが被塗装物の開口部内面に付着するのを防止するマスキング治具に関する。
【０００２】
【従来の技術】
自動車のフロントバンパーに見られるような、一部に開口部を有する被塗装物に対して、その開口部を除く前面全体に塗装を施すに当たっては、実開昭６２−１９０６６１号公報や実開平２−６１４６５号公報に見られるように、その開口部を覆うようなマスキング治具が用いられる。
【０００３】
ところが、自動車のバンパーを塗装する場合には、前後のバンパーを下から支えるようにして搬送ハンガーにより塗装ブース内へ搬送し、ここで、これらの前面に塗料を吹付けるようにして同時に塗装するため、バンパーＷの背面に回り込んだ一部の塗料ミストが、開口部の内面に設けたラジエータグリル等の表面に付着して汚染させてしまうといった不都合が発生する。
【０００４】
【発明が解決しようとする課題】
本発明はこのような問題に鑑みてなされたもので、その目的とするところは、開口部の内面に塗料ミストを付着させることのない新たなマスキング治具を提供することにある。
【０００５】
【課題を解決するための手段】
すなわち、本発明はこのような課題を達成するために、非塗装面側が解放され、かつ巾方向中央部に塗装面側から段部を介して上記非塗装面側へ筒状をなした囲撓壁が延設され、上記囲撓壁によって囲まれた長手方向に沿う内部に開口部を有し、上記開口部内に複数の横桟を備えたバンパーに適用するマスキング治具であって、上記塗装面側の上部開口部を囲む段部に貼着して上記上部開口部を覆う第１のマスキング部材と、上記非塗装面側に突出する開口部の周壁に被嵌して上記非塗装面側に突出する上記開口部を覆う第２のマスキング部材とから構成されている。
【０００６】
【実施例】
そこで以下に本発明の実施例について説明する。
図１乃至図３は、自動車のフロントバンパー用として構成した本発明の一実施例をなすマスキング治具を示したものである。
【０００７】
はじめに、このマスキング治具１０が適用されるフロントバンパーＷの構造について説明すると、ウレタン樹脂等によって一体的に形成されたフロントバンパーＷには、その巾方向中央部に前面側ａから、段部ｂを介して裏面側へ浅い筒形をなした囲撓壁ｃが延設され、この囲撓壁ｃによって囲まれた、バンパーＷの長手方向に沿う内部をエア供給用の開口部ｄとする一方、この開口部ｄ内には、ラジエータグリルとしての断面Ｊ字形をなす２本の横桟ｅ、ｅと、４本の縦桟ｆ‥‥が張り渡されている。
【０００８】
これに対して図中符号１は、フロントバンパーＷの前面側ａから開口部ｄを覆う第１のマスキング部材で、図３に示したように、このマスキング部材１は、薄いフィルム状をなしていて、開口部ｄを囲む段部ｂに接着剤を介してこの周縁部２、２を貼着することにより、開口部ｄを被覆するように構成されている。
【０００９】
他方、図中符号１０は、開口部ｄを非塗装面側から覆う第２のマスキング部材で、この第２のマスキング部材本体１１は、フロントバンパーＷの非塗装面側から上記した囲撓壁ｃに被せる容器型として形成され、さらにこの内部には、図２に示したように、２本の横桟ｅ、ｅの間に入り込んでこれらと弾性的に係合する一対のＶ字型をなす弾性保持板１２が長手方向に間隔をおいて立設されている。
【００１０】
なお、図中符号１７は、フロントバンパーＷを下から支えて塗装ブースへ搬送する搬送用ハンガーを示している。
【００１１】
このように構成された実施例において、はじめに、塗装を施す前のフロントバンパーＷに対し、図１に示したように、その前面側ａから開口部ｄを囲む段部ｂに第１のマスキング部材１の周縁２、２を貼着するようにして開口部ｄを覆う。
【００１２】
そしてつぎに、フロントバンパーＷの裏面、つまり非塗装面側から、その中央の囲撓壁ｃに容器型の第２のマスキング部材１０を当接して、これを裏面側から押圧すると、Ｖ字型をした一対の弾性保持板１２は、図２に示したように、１番目と２番目及び３番目と４番目の各縦桟ｆ、ｆの間で、２つの横桟ｅ、ｅの間に嵌入し、これらを離間させるように変形させつつ、自らも窄むように変形してこれらのあいだを通過し、再びその弾性により拡開して開口部ｄを塞ぐようにこの本体１１を囲撓壁ｃに固定する。
【００１３】
したがって、このように前後からマスキング部材１、１０を取付けたフロントバンパーＷを搬送用ハンガー１７により塗装ブースに送り込んで塗装ガンによる塗装を施すと、前面の開口部ｄはもとより、この塗装過程で裏面に回り込んだ塗料ミストも開口部ｄに浸入するのが防がれて、ラジエータグリル等への付着を未然に抑えることができる。
ところで、図４に示した実施例は、ラジエータグリルが取付けられる前のフロントバンパーＷや、異形のラジエータグリルを有するフロントバンパーＷにも取付け得るようにしたもので、この実施例における第２のマスキング部材２０には支持板を設けない代りに、囲撓壁ｃに嵌合した部材本体２１の周縁２４を粘着テープ２６によって止着するようにしたものである。
【００１４】
なお、以上は自動車に装着するフロントバンパーＷの例によって本発明を説明したものであるが、非塗装面側が開放され、かつ塗装内側から非塗装面側に貫通する開口部が設けられているような、他の被塗装物に対しても本発明を適用することができる。
【００１５】
【発明の効果】
以上述べたように本発明によれば、塗装面側から開口部を第１のマスキング部材で覆うとともに、非塗装面側から開口部を第２のマスキング部材で覆うようにしたので、塗装処理の過程で、解放された非塗装面側へ回り込んだ塗料ミストが開口部内に入り込んだ塗料ミストが開口部に入り込んでその内部を汚染するといったマスキング不良を未然に抑えて、被塗装物表面へ常に良好な塗装処理を施すことができる。
【図面の簡単な説明】
【図１】フロントバンパーＷに装着した状態での本発明の一実施例を示すマスキング治具の側面図である。
【図２】同装着状態を上部から示した図である。
【図３】非塗装状態での同上治具の側面図である。
【図４】本発明の他の実施例をなすマスキング治具の側面図である。
【符号の説明】
１  第１のマスキング部材
１０、２０  第２のマスキング部材
１２  弾性部材よりなる保持板
Ｗ  フロントバンパー
ａ  塗装面
ｂ  段部
ｄ  開口部
ｅ  横桟
ｆ  縦桟
【図１】
0003669447.tif 000002
【図２】
0003669447.tif 000003
【図３】
0003669447.tif 000004
【図４】
0003669447.tif 000005